(57)【要約】      （修正有）【課題】発光素子の光を反射する光反射部を合理的に設けてなる液晶表示装置を得ること。【解決手段】基板１０と、基板に対して設けられた液晶表示部２０と、基板と液晶表示部との間に設けられた発光素子３０と、発光素子を囲むように基板と液晶表示部との間に設けられたガイド体４０とを備えた液晶表示装置において、ガイド体の内側に面する基板の表面１０ａには、基板の回路パターン１１にメッキを施してなる光反射部１２を設けた。光反射部は、ガイド体の内側に面する基板の表面の３０パーセント以上を占めるように設けるとよい。【選択図】図２
2006235387.tif 000002
【特許請求の範囲】
【請求項１】
基板と、前記基板に対して設けられた液晶表示部と、前記基板と前記液晶表示部との間に設けられた発光素子と、前記発光素子を囲むように前記基板と前記液晶表示部との間に設けられたガイド体とを備えた液晶表示装置において、
前記ガイド体の内側に面する前記基板の表面には、前記基板の回路パターンにメッキを施してなる光反射部を設けたことを特徴とする液晶表示装置。
【請求項２】
前記光反射部は、前記ガイド体の内側に面する前記基板の表面の３０パーセント以上を占めることを特徴とする請求項１記載の液晶表示装置。
【発明の詳細な説明】
【技術分野】
【０００１】
本発明は、バックライト構造を備えた液晶表示装置に関するものである。
【背景技術】
【０００２】
液晶表示装置のバックライト構造は、基板に液晶表示部を搭載し、その基板と液晶表示部との間にＬＥＤ等の発光素子を設けて構成されている。また、基板と液晶表示部との間には、発光素子を囲むようにガイド体が設けられている。ガイド体によれば、基板と液晶表示部との間から発光素子の光が外部に洩れるのを防止することができる。また、ガイド体の内部においては、液晶表示部の明るさを十分に確保すべく、発光素子の光を効率よく反射する構成が必要とされる。この種の液晶表示装置は、特許文献１及び２にも開示されている。
【特許文献１】実開昭６３−５４１２７号公報
【特許文献２】特開平８−２２００３号公報
【発明の開示】
【発明が解決しようとする課題】
【０００３】
さて、ガイド体の内部には、発光素子の光を反射するための光反射部が設けられるところ、基板の表面にどのような光反射部を設けるかが、液晶表示装置の性能、及び基板の製造性に係る重要な課題とされる。特に、光透過性を有する素材からなる基板の場合は、その表面に光を反射するための白シルク印刷を施しても、ある程度の光が基板を透過してしまうという問題がある。本発明は、かかる事情に鑑みてなされたものであり、その目的は、発光素子の光を反射する光反射部を合理的に設けてなる液晶表示装置を得ることである。
【課題を解決するための手段】
【０００４】
本願第１請求項に記載した発明は、基板と、前記基板に対して設けられた液晶表示部と、前記基板と前記液晶表示部との間に設けられた発光素子と、前記発光素子を囲むように前記基板と前記液晶表示部との間に設けられたガイド体とを備えた液晶表示装置において、前記ガイド体の内側に面する前記基板の表面には、前記基板の回路パターンにメッキを施してなる光反射部を設けた構成の液晶表示装置である。
【０００５】
本願第２請求項に記載した発明は、請求項１において、前記光反射部は、前記ガイド体の内側に面する前記基板の表面の３０パーセント以上を占める構成の液晶表示装置である。
【発明の効果】
【０００６】
本発明によれば、発光素子の光を反射する光反射部を合理的に設けてなる液晶表示装置を得ることができる。
【発明を実施するための最良の形態】
【０００７】
以下に、本発明の実施例を図面に基づいて説明する。図１及び図２に示す液晶表示装置１は、基板１０と、基板１０に対して設けられた液晶表示部２０と、基板１０と液晶表示部２０との間に設けられた発光素子３０と、発光素子３０を囲むように基板１０と液晶表示部２０との間に設けられたガイド体４０とを備えたものである。本例の発光素子３０は、基板１０に搭載されたＬＥＤである。
【０００８】
液晶表示部２０は、液晶体及び透明電極からなる液晶表示素子を透明板の間に設け、透明電極と電気的に接続されたピン状の端子２１から電気信号を入力することにより、所定の画素又はセグメント毎に透明・非透明状態が切換えられる構成となっている。端子２１の先端は、基板１０に半田付け、又は基板１０に設けられた電極ソケットに接続されているものとする。液晶表示部２０の発光素子３０側の面には、発光素子３０の光を乱反射する乱反射手段２２が設けられている。乱反射手段２２は、液晶表示部２０における表示箇所全体の明るさを均等化するためのものであり、本例では、光を拡散する粒子を混入した透明樹脂製の板部材を採用している。
【０００９】
ガイド体４０は、基板１０に固定されるとともに液晶表示部２０を保持する樹脂製の枠体であり、その内側には、液晶表示部２０に向かってガイド体４０の内部空間を拡大するテーパー面４１が設けられている。テーパー面４１は、発光素子３０の光を反射する面となっている。基板１０に対するガイド体４０の固定方法、及びガイド体４０に対する液晶表示部２０の保持方法は、特に限定はしない。例えば、ガイド体４０の適宜部位にフック部を設けるとともに基板１０の要所に孔部を設け、そのフック部を孔部に係止することにより、ガイド体４０を基板に固定することが可能である。また、ガイド体４０の要所に液晶表示部２０を保持する係止片を適宜間隔で設け、それらの係止片にて液晶表示部２０保持することが可能である。
【００１０】
図３及び図４に示す本例の基板１０は、ガラス粒子を混入したエポキシ樹脂等の絶縁材料からなる板材に、所定の回路パターン１１を設けてなるものである。回路パターン１１は、板材の両面に導体箔を形成し、その導体箔にエッチング加工を施して設けられている。所要の電子素子は、回路パターンに設けられたランドに接続されている。本例の場合、電子素子たる発光素子３０は、液晶表示部２０の形状に応じて適宜ピッチで基板上に列設されている。
【００１１】
図３中の破線は、ガイド体４０の内側に面する基板１０の表面１０ａを示している。図４に示すように、ガイド体４０の内側に面する基板１０の表面１０ａには、発光素子３０の光を反射する光反射部１２を設けている。この光反射部１２は、基板１０の回路パターン１１に半田メッキを施してなるものである。光反射部１２の表面は、銀色の光沢を有する。基板１０の表面全体は、ランド及び光反射部１２を残し、絶縁材料にてコーティングされている。
【００１２】
このような光反射部１２を設けることによれば、液晶表示部２０の明るさを向上することができる。すなわち、光反射部１２が金属製であることから、基板１０を透過して光が外部に洩れるのを確実に防止することができる。特に、光を反射すべく基板１０の表面１０ａに白シルク印刷を施す場合と比較すると、透過による光の洩れが少ないという点で有利である。白シルク印刷は省略することができる。
【００１３】
更に、本例の場合、光反射部１２は、ガイド体４０の内側に面する基板１０の表面１０ａの３０パーセント以上を占める構成となっている。より望ましくは、５０パーセント以上である。例えば図５は、回路パターン１１を従来と同様に形成した場合を示している。本発明によれば、図５に示すような回路パターン１１に光反射部１２を設けてもよいのであるが、十分な効果が得られない場合も考えられる。これに対し、本例の回路パターン１１の形状は、図５と比較すると、光反射部１２の面積を十分に確保するように設計されていることが分る。つまり、光反射部１２を設けることを想定せずに回路パターン１１の形状を設定すると、光反射部１２の面積が３０パーセント未満となる場合があるところ、本例では、光反射部１２の面積を十分に確保すべく、回路パターン１１の形状を設定している。
【００１４】
このように、本例によれば、光の反射性に優れた光反射部を合理的に設けてなる液晶表示装置を得ることができる。尚、本例における各部の構成は、特許請求の範囲に記載した技術的範囲において適宜に設計変更が可能であり、図例説明したものに限定されないことは勿論である。
【産業上の利用可能性】
【００１５】
本発明は、バックライト構造を備えた液晶表示装置に関するものであり、例えば時計の時刻表示手段として好適に利用することができる。
【図面の簡単な説明】
【００１６】
【図１】本発明の実施例に係り、液晶表示装置を示す正面図である。
【図２】本発明の実施例に係り、液晶表示装置を示す断面図（図１のＸ−Ｘ断面図）である。
【図３】本発明の実施例に係り、基板を示す正面図である。
【図４】本発明の実施例に係り、基板の要部を示す正面図である。
【図５】本発明の実施例に係り、基板の要部を示す正面図である。
【符号の説明】
【００１７】
１    液晶表示装置
１０    基板
１０ａ    ガイド体の内側に面する基板の表面
１１    回路パターン
１２    光反射部
２０    液晶表示部
２１    端子
２２    乱反射手段
３０    発光素子
４０    ガイド体
４１    テーパー面
【図１】
2006235387.tif 000003
【図２】
2006235387.tif 000004
【図３】
2006235387.tif 000005
【図４】
2006235387.tif 000006
【図５】
2006235387.tif 000007